(57)【要約】【課題】容易にバリアブル冊子の製本要求に対応可能な上製本の製造装置等を提供する。【解決手段】本文３の背に資材１０を供給する背固め処理部を備えた上製本１の製造装置において、資材１０の縦方向の辺は、上製本１の形状にかかわらず予め規定された長さを有し、背固め処理部は、資材１０の１つとしてのガーゼ状織物７の幅方向の辺を本文３の厚みに応じて切断して本文３の背の中央部に供給するとともに、資材１０の１つとしての紙体８の幅方向の辺を本文３の厚みに応じて切断して本文３の背の両側端部に供給する資材供給手段３０を備えている。【選択図】図３
2015039791.tif 000002
【特許請求の範囲】
【請求項１】
本文の背に資材を供給する背固め処理部を備えた上製本の製本装置において、
前記資材の縦方向の辺は、前記上製本の形状にかかわらず予め規定された長さを有し、
前記背固め処理部は、
前記資材の１つであるガーゼ状織物の幅方向の辺を本文の厚みに応じて切断して前記本文の背の中央部に供給するとともに、前記資材の１つである紙体の幅方向の辺を本文の厚みに応じて切断して前記本文の背の両側端部に供給する資材供給手段を備えていることを特徴とする上製本の製造装置。
【請求項２】
本文と、その本文の背に貼着された資材と、前記本文と資材を覆うようにして貼着された表紙と、を備える上製本において、
前記資材の縦方向の長さは、前記上製本の形状にかかわらず予め規定された長さを有し、
前記資材の１つであるガーゼ状織物は、前記本文の背の中央部に貼着され、
前記資材の１つである紙体は、本文の背の両側端部に貼着され、当該本文の背に部分的に配置されていることを特徴とする上製本。
【請求項３】
上製本の本文の背に資材を供給する資材供給装置であって、
前記資材の縦方向の辺は、前記上製本の形状にかかわらず予め規定された長さを有し、
前記資材の１つであるガーゼ状織物の幅方向の辺を本文の厚みに応じて切断して前記本文の背の中央部に供給するとともに、前記資材の１つである紙体の幅方向の辺を本文の厚みに応じて切断して前記本文の背の両側端部に供給する資材供給手段を備えていることを特徴とする資材供給装置。
【発明の詳細な説明】
【技術分野】
【０００１】
本発明は本文に寒冷紗等の資材を供給する資材供給装置を備えた上製本の製造装置等に関する。
【背景技術】
【０００２】
一般に上製本と称される冊子が知られている。一例として丸背上製本と称される上製本は、複数枚の用紙を重ね合わせて一冊分集積した本文の背が糊によって下固めされ、その背が丸み出しされた後、耳出し処理され、その後、その背に寒冷紗等の資材が供給されて背固めされた後、その本文が表紙でくるまれることで製本される（特許文献１参照）。
【先行技術文献】
【特許文献】
【０００３】
【特許文献１】特開２０１３−７１３０７号公報
【発明の概要】
【発明が解決しようとする課題】
【０００４】
ところで、近年、製本業界では、顧客の要求に応じて頁数やその内容を変更して製本される冊子（以下、「バリアブル冊子」と称する。）の需要が増えている。特に、上製本の製造過程における背固め工程では、サイズの変更に応じて資材の形状を変更する必要があり、非常に手間がかかっていた。
【０００５】
また、製本コストの低減化を図るべく、上製本の製本装置を大幅に改良することなく製本したいという要求がある。
【０００６】
本発明は、このような問題の解消を一つの課題とし、その目的の一例は、容易にバリアブル冊子の製本要求に対応可能な上製本の製造装置等を提供するものである。
【課題を解決するための手段】
【０００７】
上記課題を解決するため、請求項１に記載の上製本（１）の製造装置は、本文の背に資材（１０）を供給する背固め処理部を備えた上製本の製造装置において、前記資材の縦方向の辺は、前記上製本の形状にかかわらず予め規定された長さを有し、前記背固め処理部は、前記資材の１つであるガーゼ状織物の幅方向の辺を本文の厚みに応じて切断して前記本文の背の中央部に供給するとともに、前記資材の１つである紙体の幅方向の辺を本文の厚みに応じて切断して前記本文の背の両側端部に供給する資材供給手段（３０）を備えていることを特徴とする。
【０００８】
請求項２に記載の上製本は、本文（３）と、その本文の背に貼着された資材（１０）と、前記本文と資材を覆うようにして貼着された表紙（４）と、を備える上製本において、前記資材の縦方向の辺は、前記上製本の形状にかかわらず予め規定された長さを有し、前記資材の１つであるガーゼ状織物（７）は、前記本文の背の中央部に貼着され、前記資材の１つである紙体（８）は、本文の背の両側端部に貼着され、当該本文の背に部分的に配置されていることを特徴とする。
【０００９】
また、請求項３に記載の資材供給装置は、上製本の本文の背に資材を供給する資材供給装置であって、前記資材の縦方向の辺は、前記上製本の形状にかかわらず予め規定された長さを有し、前記資材の１つであるガーゼ状織物の幅方向の辺を本文の厚みに応じて切断して前記本文の背の中央部に供給するとともに、前記資材の１つである紙体の幅方向の辺を本文の厚みに応じて切断して前記本文の背の両側端部に供給する資材供給手段を備えていることを特徴とする。
【発明の効果】
【００１０】
本発明によれば、大幅な改良を行うことなく、容易にバリアブル冊子の製本要求に対応することができる。
【図面の簡単な説明】
【００１１】
【図１】上製本の構成を示す模式図であって、図１（ａ）が外観図、図１（ｂ）が図１（ａ）のＡ−Ａ断面図である。
【図２】上製本の製造工程の概略構成を説明するための図であり、図２（ａ）は下固め工程を示す模式図、図２（ｂ）は丸み出し工程を示す模式図、図２（ｃ）は耳出し工程を示す模式図、図２（ｄ）は背固め工程を示す模式図、図２（ｅ）はくるみ工程を示す模式図である。
【図３】背固め工程における処理を説明するための模式図である。
【図４】資材供給装置の概略構成を示す模式図である。
【発明を実施するための形態】
【００１２】
以下、図面を参照して本発明の実施形態について説明する。
【００１３】
まず、上製本について簡単に説明する。なお、図１（ａ）において、便宜上、冊子１の上下方向を天地（縦）方向とし、正面側を小口側、奥行側を背側として説明する。
【００１４】
上製本１は、本紙となる複数の枚葉紙２を重ね合わせて構成される本文３を備え、当該本文３の外側が表紙４によってくるまれて製本される。
【００１５】
本文３は、枚葉紙２の集積体で構成され、各枚葉紙２は、例えば、図示しない枚葉印刷機等によって印刷される。一方、表紙４は、例えば、ボール紙の芯紙等を入れることで強度を高めたものであり、背及び側面が簡単に折り曲がらないように形成される。
【００１６】
本文３は、丁合工程によって丁合された複数の枚葉紙２からなる本文３の背側に、下固め工程においてホットメルト等の熱によって溶融する糊が塗布されて各枚葉紙２が互いに接着され（図２（ａ））、丸みだし工程においてその背に丸みがつけられ（図２（ｂ））、その後、耳出し工程において、バッキング装置により本文３の背がバッキング（耳出し）処理される（図２（ｃ））。
【００１７】
本文３は、その後、背固め工程において、その背にガーゼ状織物７が接着剤により接着され、その後、紙体８や飾り布９としての花布が接着剤により接着され（図２（ｄ））、くるみ工程において、上述したガーゼ状織物７、紙体８、飾り布９等の資材１０が取り付けられた本文３が表紙４によってくるまれて（図２（ｅ））、上製本１として製本される。
【００１８】
背固め工程において使用されるガーゼ状織物７としては、好適には寒冷紗が用いられるが、特にその素材についての制限はない。また、紙体８としては、好適には地券紙が用いられるが、クラフト紙や和紙等でも構わない。
【００１９】
なお、この背固め工程では、その他、しおり等を取り付けても構わない。
【００２０】
通常、上記ガーゼ状織物７や紙体８は、本文３の厚みに応じてそのサイズが変更されるが、小ロットでサイズ変更がされる（例えば、オンデマンド冊子）場合、ガーゼ状織物７や紙体８等の資材をサイズ変更のたびに準備・交換する工程が必要となり、製造方法が複雑・煩雑となる。
【００２１】
そこで、本実施形態の上製本１に用いられる上記ガーゼ状織物７及び紙体８の幅（縦方向の長さ）のサイズは、予め規定された基準のサイズに固定される。このサイズは、製本される最小サイズ（例えば、一般的な最小の四六サイズ）に合わせられる。
【００２２】
一般的にガーゼ状織物７は、その縦方向の長さの両端が本文３の両端から１３ｍｍ空くように設定されて配置されるが、本実施形態のガーゼ状織物７は、縦方向の長さの中点が本文の中央に合わせて配置され、本文の厚みに応じてその幅のみが適宜調整される。したがって、本実施形態のガーゼ状織物７は、縦方向の長さが最小サイズに設定されるため、最小サイズよりも大きいサイズの上製本を製本する場合には、図１（ｂ）に示すように、ガーゼ状織物７の端部が本文３の両端部に満たず、本文３の両端部より中央寄りにその端部７ａが配置される。
【００２３】
また、紙体８は、一般的に本文の両側端部からその背の全面に配置されるが、本実施形態の上製本１は、図１（ｂ）に示すように、例えば、紙体８の端部に合わせて、本文３の両側端部のみに設けられる。
【００２４】
なお、製本する上製本１のサイズが大きい場合、紙体８は、本文３の両側端部のほか中央部に貼着しても良く、背に部分的に配置される。
【００２５】
次に、上述した上製本の製造装置について説明する。
【００２６】
本実施形態の上製本の製造装置は、図２に示すように、下固め処理（図２（ａ））、丸み出し処理（図２（ｂ））、耳出し処理（図２（ｃ））、背固め処理（図２（ｄ））、くるみ処理（図２（ｅ））の順に処理すべく、図示しないが、丁合いされた複数の用紙からなる本文３の背に糊を塗布して各枚葉紙２を互いに接着させる下固め処理ユニットと、本文３の背に丸みをつける丸み出し処理ユニットと、本文３の背を整え耳を出す（バッキングする）耳出し処理ユニットと、本文３の背に寒冷紗や地券紙、花布等の資材１０を貼着し形がくずれないよう背を固める背固め処理ユニット（本願の背固め処理部）と、表紙４によって本文３をくるむくるみ処理ユニットと、を備えている。
【００２７】
なお、下固め処理ユニット、丸み出し処理ユニット、耳出し処理ユニット及びくるみ処理ユニットは、従来から公知の一般的な機構を採用することができ、各構成の詳細な説明は省略するものとし、発明の特徴となる背固め処理ユニットのみ詳細に説明を行うものとする。
【００２８】
図３に示すように、背固め処理ユニット１００は、耳出し処理ユニットから搬送される本文３に対して、その背に寒冷紗や地券紙、花布等の資材１０を貼着し、くるみ処理ユニットに送り出す装置である。
【００２９】
この背固め処理ユニットは、図３に示すように、例えば、耳出し処理ユニットとくるみ処理ユニットに連絡する搬送経路１５を備え、この搬送経路１５に沿って本文３を挟持して搬送するクランパ２０を備えている。このクランパ２０は、対向して配置される一対のクランプ体２１、２１を備え、図３（ａ）に示すように、耳出し処理ユニットから送り出された本文３をこのクランプ体２１、２１により挟持した上で所定の処理を行った後、図３（ｄ）に示すように、くるみ処理ユニットへと送り出す際にクランプ体２１、２１から本文３を解放する。
【００３０】
この搬送経路１５上には、本文３の背に糊２４を塗布する糊塗布部２５、本文３の背に資材１０を供給する資材供給部３０が順に設けられている。
【００３１】
糊塗布部２５は、図３（ｂ）に示すように、本文３の背面に糊２４を塗布するためのローラ２６と、このローラ２６に糊２４を供給する図示しない糊供給体と、を備えている。このローラ２６は、搬送経路１５の上方に配置されており、本文３の搬送中に、その本文３の背面に接触させる。この処理によりローラ２６の表面に有する糊２４が本文３の背面に転写されて塗布される。
【００３２】
資材供給部３０（本願の資材供給手段）は、図４に示すように、本文３の形状に応じて資材１０の形状を形成する資材形成ユニット５０と、前記資材１０を前記本文３の背に搬送する搬送ユニット７０と、を備えている。
【００３３】
資材形成ユニット５０は、幅方向の辺の長さが所定の長さに予め規定された帯状の資材１０が巻回されたロール体６１と、資材１０を挟持し、モータ等の駆動手段による回転駆動によって後述する載置台６２上に当該資材１０を送り出す一対の回転ローラ６３と、資材１０の長さ方向の辺を本文３の厚みに応じて所定の長さに切断するカッター６４と、所定の形状に形成された資材１０を載置する載置台６２と、を備えている。
【００３４】
なお、資材１０の幅方向の辺は、本文３の縦方向（天地方向）の長さに対応し、資材１０の長さ方向の辺は、本文３の幅に対応する。また、本実施形態で用いられる資材１０は、その幅方向の辺が、上製本１の形状にかかわらず予め規定された基準の長さに固定される。この幅方向の辺の長さは、製本される最小サイズに合わせられることが好ましい。
【００３５】
カッター６４は、資材１０上を上下方向に移動するものであって、資材１０が本文３の厚みに応じてロール体６１から一定の長さ分載置台６２へと繰り出された上で下方へと移動し、資材１０を切断する。そして、所定の長さで切断された資材１０が載置台６２に載置され、この資材１０は搬送ユニット７０によって本文３の背に供給される。
【００３６】
搬送ユニット７０は、資材形成ユニット５０により所定の形状に切断された資材１０（ガーゼ状織物７、紙体８、飾り布９）を、本文３の背に搬送し、貼り付ける搬送機構部７５を備えている。
【００３７】
搬送機構部７５は、載置台６２の上方から本文３の背の上方に延びる搬送レール７６と、この搬送レール７６に設けられ、鉛直方向に伸縮自在に取り付けられるアーム７７と、このアーム７７の先端部に取り付けられ、載置台６２上に配置される資材１０を吸着する吸着治具７６と、を備えている。そして、載置台６２上に配置される資材１０は、当該吸着治具７６により吸着された上で本文３の背の上方まで搬送され、アーム７７により、本文３の背に押し付けられることで本文３の規定位置に取り付けられる。
【００３８】
本実施形態では、資材１０としてガーゼ状織物７、紙体８、飾り布９を本文３の背に取り付ける態様であり、図３（ｃ）に示すように、紙体８と飾り布９は一体として、本文３の背の両側端部に別々に搬送し、ガーゼ状織物７は、紙体や飾り布とは反対側から、本文の背に搬送する。したがって、上述した資材供給部３０は、３組必要となり、例えば、図３（ｃ）に示すように、搬送レール１５を挟んで一方の側に２組の資材供給部３０が並列に並べて配置され、他方の側に１組の資材供給部３０が配置され、それぞれの資材供給部３０によりそれぞれの資材１０が本文３の背に供給される。
【００３９】
なお、紙体８と飾り布９は、ロール体６１からそれぞれ繰り出された紙体８と飾り布９を一対の回転ローラ６３にて加圧することで双方が互いに貼着し一体化させるものとする。
【００４０】
このようにして構成された資材供給部３０では、本文３の厚みに応じてロール体６３により資材１０が送り出され、カッター６４により切断されることで、本文３の幅に適した形状の資材１０が形成される。そして、この資材１０が、吸着治具７６によって吸着され、本文３の背に位置決めされた後、アーム７７によって資材１０が背に押し付けられることで、資材１０が本文３の背に貼着され、背固め処理が行われる。
【００４１】
次に、上記製本装置を用いた上製本の製本方法について説明する。以下の説明では、背固め処理以外の処理に関しては従来から公知であるため、その説明は省略し、背固め処理についてのみ説明を行うものとする。すなわち、上製本は、下固め処理、丸み出し処理、耳出し処理、背固め処理、くるみ処理の順に行われて製本される。
【００４２】
（１）まず、搬送経路１５に沿って耳出し処理ユニットから搬送される本文３が、クランプ体２１、２１により挟持される。
【００４３】
（２）次に、糊塗布部に本文３が搬送され、本文３の背面に糊２４が塗布される。
【００４４】
（３）次いで、本文３の厚みに応じてガーゼ状織物７としての寒冷紗の幅方向の辺が切断され、本文３の背の中央部に位置決めされて貼着される。
【００４５】
（４）次いで、本文３の厚みに応じて紙体８としての地券紙、飾り布９としての花布の幅方向の辺が切断され、本文３の背の両側端部に位置決めされて貼着される。
【００４６】
（５）最後に、搬送経路１５に沿って、背固めされた本文３が、クランプ体２１から解放されて、次工程であるくるみ処理へと送り出され、このような動作が順次行われることで、顧客の要求に応じた上製本が製本される。
【００４７】
なお、本発明は上記実施の形態に限定されるものではなく、本発明の要旨の範囲内で種々変更可能である。例えば、本実施形態では、資材供給部３０において、搬送レール７６を用いて資材１０を本文３の背の上方まで案内するようにしたが、一般的に知られている搬送機構によって、資材形成ユニット５０によって形成された資材を本文３の背に供給することができる。例えば、部材を１の場所から他の場所へ移動することが可能な一般的に公知な関節ロボットを用いることができる。
【００４８】
また、本実施形態の上製本は、本文の背が丸みを帯びた丸背上製本を一例として説明したが、本文の背が角ばった角背上製本であっても構わない。
【符号の説明】
【００４９】
２  本文
４  表紙
７  ガーゼ状織物
８  紙体
１０  資材
３０  資材供給部
【図１】
2015039791.tif 000003
【図２】
2015039791.tif 000004
【図３】
2015039791.tif 000005
【図４】
2015039791.tif 000006